(57)【特許請求の範囲】
【請求項１】
浴槽と熱供給部との間で湯水を循環させるための浴槽循環装置であって、
前記浴槽と前記熱供給部との間で湯水を循環させるための循環ポンプと、
気泡発生機能付きの循環部材と、
それぞれが前記循環部材に接続された第１の通路および第２の通路を含む追焚配管と、
前記追焚配管の途中に接続され、かつ前記第１の通路と前記第２の通路との往き戻りを切り替えるための流路切り替え弁とを備え、
気泡発生運転と追焚運転とで異なる特性を示す信号値を用いて、前記第１の通路と前記第２の通路との往き戻りを判別し、前記流路切り替え弁で前記第１の通路と前記第２の通路との往き戻りを切り替え制御できるよう構成され、
前記信号値が、前記循環ポンプのモータの電流値である、浴槽循環装置。
【請求項２】
浴槽と熱供給部との間で湯水を循環させるための浴槽循環装置であって、
前記浴槽と前記熱供給部との間で湯水を循環させるための循環ポンプと、
気泡発生機能付きの循環部材と、
それぞれが前記循環部材に接続された第１の通路および第２の通路を含む追焚配管と、
前記追焚配管の途中に接続され、かつ前記第１の通路と前記第２の通路との往き戻りを切り替えるための流路切り替え弁とを備え、
気泡発生運転と追焚運転とで異なる特性を示す信号値を用いて、前記第１の通路と前記第２の通路との往き戻りを判別し、前記流路切り替え弁で前記第１の通路と前記第２の通路との往き戻りを切り替え制御できるよう構成され、
前記循環ポンプの吐出側の経路に配置された、前記湯水の圧力を測定するための水位センサーをさらに備え、
前記信号値が、前記水位センサーの出力値である、浴槽循環装置。
【請求項３】
浴槽と熱供給部との間で湯水を循環させるための浴槽循環装置であって、
前記浴槽と前記熱供給部との間で湯水を循環させるための循環ポンプと、
気泡発生機能付きの循環部材と、
それぞれが前記循環部材に接続された第１の通路および第２の通路を含む追焚配管と、
前記追焚配管の途中に接続され、かつ前記第１の通路と前記第２の通路との往き戻りを切り替えるための流路切り替え弁とを備え、
気泡発生運転と追焚運転とで異なる特性を示す信号値を用いて、前記第１の通路と前記第２の通路との往き戻りを判別し、前記流路切り替え弁で前記第１の通路と前記第２の通路との往き戻りを切り替え制御できるよう構成され、
前記循環ポンプの吸込側と吐出側との差圧を測定するための圧力スイッチをさらに備え、
前記信号値が、前記圧力スイッチの作動信号である、浴槽循環装置。
【請求項４】
前記浴槽内の湯が排出された後に、前記流路切り替え弁内の残水を排出するよう構成された、請求項１〜３のいずれか１項に記載の浴槽循環装置。
【請求項５】
前記循環部材は、気泡発生側の流路と、追焚側の流路とを含み、
前記浴槽へ湯を供給するお湯張り時には、前記循環部材の前記気泡発生側の流路が閉止されるよう構成されている、請求項１〜４のいずれか１項に記載の浴槽循環装置。
【発明の詳細な説明】
【技術分野】
【０００１】
本発明は、浴槽循環装置に関し、特に、浴槽と熱供給部との間で湯水を循環させるための浴槽循環装置に関するものである。
【背景技術】
【０００２】
従来、風呂給湯器と浴槽とを循環通路によって互いに接続し、循環ポンプの作動により浴槽内の湯水を風呂給湯器との間で強制循環させることで、浴槽内の湯水を追焚可能とした浴槽の風呂給湯システムが知られている。このシステムでは、浴槽内の側壁に浴槽循環アダプターが設置され、この浴槽循環アダプターの往通路に対して循環通路の往配管が、浴槽循環アダプターの復通路に対して循環通路の復配管にそれぞれ接続されている。
【０００３】
この浴槽循環アダプターは、風呂給湯器から新規な高温の湯水を供給する注湯運転モードに加え、浴槽内の湯水を給湯器に戻して加熱した後に再度浴槽へ供給する追焚運転モード、微細な気泡を湯水に混在させて気泡噴流を吐出させる気泡発生モードなど、使用者のニーズに合わせた湯水の供給形態を有している。
【０００４】
この気泡発生機能を有する風呂装置において、追焚経路と気泡発生用循環経路とを、要求される運転（追焚または気泡発生）に応じて経路切り替え手段によって切り替えることが、たとえば特開２００８−１６４２３３号公報（特許文献１参照）、特開２００８−１６１４８２号公報（特許文献２参照）に開示されている。上記特許文献１および２の気泡発生機能付きの風呂装置には、追焚配管の往き戻りの極性がある。
【０００５】
一方、無極性の浴槽循環アダプターとして、循環アダプターに複数の逆止弁を組み込んで、微細気泡発生装置の追焚配管の往き戻り極性をなくしたものが、特開２０１０−２３６７０４号公報（特許文献３参照）に開示されている。
【先行技術文献】
【特許文献】
【０００６】
【特許文献１】特開２００８−１６４２３３号公報
【特許文献２】特開２００８−１６１４８２号公報
【特許文献３】特開２０１０−２３６７０４号公報
【発明の概要】
【発明が解決しようとする課題】
【０００７】
上記特許文献１および２のように追焚配管の往き戻りの極性がある場合には、往通路の接続部には往配管を、復通路の接続部には復配管をそれぞれ接続する必要がある。それぞれの配管が誤接続された場合には、吐出方向の主要な機能が阻害されることから、正常に作動しないという問題がある。
【０００８】
本発明は、上記の課題に鑑みてなされたものであり、その目的は、施工時に浴槽循環アダプターと給湯器とを繋ぐ配管の接続ミスがあった場合でも正常に動作可能な浴槽循環装置を提供することである。
【課題を解決するための手段】
【０００９】
本発明の一の局面、他の局面およびさらに他の局面の各々の浴槽循環装置は、浴槽と熱供給部との間で湯水を循環させるための浴槽循環装置であって、循環ポンプと、循環部材と、追焚配管と、流路切り替え弁とを備えている。循環ポンプは、浴槽と熱供給部との間で湯水を循環させるためのものである。循環部材は、気泡発生機能付きである。追焚配管は、循環部材に接続された第１の通路および第２の通路を含んでいる。流路切り替え弁は、追焚配管の途中に接続され、かつ第１の通路と第２の通路との往き戻りを切り替えるためのものである。浴槽循環装置は、気泡発生運転と追焚運転とで異なる特性を示す信号値を用いて、第１の通路と第２の通路との往き戻りを判別し、流路切り替え弁で第１の通路と第２の通路との往き戻りを切り替え制御できるよう構成されている。
【００１０】
本発明の一の局面、他の局面およびさらに他の局面の各々の浴槽循環装置によれば、気泡発生運転と追焚運転とで異なる特性を示す信号値を用いて、第１の通路と第２の通路との往き戻りを判別することにより、流路切り替え弁で第１の通路と第２の通路との往き戻りが切り替え制御される。これにより施工時に循環部材と給湯器とを繋ぐ配管の接続ミスがあった場合でも、施工後の動作状況に応じて往き戻りを判別して流路切り替え弁でその往き戻りを切り替えることで、その後の正常な動作が可能となる。
【００１１】
上記一の局面の浴槽循環装置においては、上記の信号値は循環ポンプのモータの電流値である。気泡発生運転時には追焚運転時よりも気泡による圧力損失が大きく流量が少なくなるため、循環ポンプの電流値によって気泡発生運転か追焚運転かを判別することができる。
【００１２】
上記他の局面の浴槽循環装置においては、循環ポンプの吐出側の経路に配置された、湯水の圧力を測定するための水位センサーがさらに備えられており、上記の信号値はその水位センサーの出力値である。気泡発生運転時には追焚運転時よりも気泡による圧力損失が大きくなり循環ポンプと熱供給部との間における水圧が高くなるため、循環ポンプと熱供給部との間における湯水の圧力を測定することによって気泡発生運転か追焚運転かを判別することができる。
【００１３】
上記さらに他の局面の浴槽循環装置においては、循環ポンプの吸込側と吐出側との差圧を測定するための圧力スイッチがさらに備えられており、上記の信号値はその圧力スイッチの作動信号である。気泡発生運転時には追焚運転時よりも気泡による圧力損失が大きくなり循環ポンプの吸込側と吐出側との差圧が大きくなるため、その差圧を測定することによって気泡発生運転か追焚運転かを判別することができる。
【００１４】
上記一の局面、他の局面およびさらに他の局面の各々の浴槽循環装置は、浴槽内の湯が排出された後に流路切り替え弁内の残水が排出されるよう構成されている。上記構成によれば、流路切り替え弁内の残水が排出されるため、流路切り替え弁内の残水が凍結することによる流路切り替え弁の破損を防止することができる。
【００１５】
上記一の局面、他の局面およびさらに他の局面の各々の浴槽循環装置においては、循環部材は気泡発生側の流路と追焚側の流路とを含み、浴槽循環装置は浴槽へ湯を供給するお湯張り時には循環部材の気泡発生側の流路が閉止されるよう構成されている。注湯時に気泡発生側の流路に湯が流れると、気泡発生側の流路のノズルから大きな音がしたり、湯が飛び散るなどの問題が生じる。上記構成によれば、注湯時には浴槽循環アダプターの気泡発生側の流路が閉止されるため、上記の音の発生や湯の飛び散りを防止することができる。
【発明の効果】
【００１６】
以上説明したように本発明によれば、施工時に浴槽循環アダプターと給湯器とを繋ぐ配管の接続ミスがあった場合でも正常に動作可能な浴槽循環装置を得ることができる。また配管の区別を気にすることなく施工できるので、特に作業スペースが限られた施工現場でも容易に接続作業が行なえる。
【図面の簡単な説明】
【００１７】
【図１】本発明の実施の形態１における浴槽循環装置の注湯／追焚運転時（注湯／追焚モード）の様子を概略的に示す概略図である。
【図２】本発明の実施の形態１における浴槽循環装置の気泡発生運転時（気泡発生モード）の様子を概略的に示す概略図である。
【図３】本発明の実施の形態１における浴槽循環装置の行き戻り通路切り替え動作を示すフローチャートである。
【図４】図１の状態と比較して配管の接続状態が異なる場合の構成を概略的に示す部分概略図である。
【図５】図５の状態と比較して配管の接続状態が異なる場合の構成を概略的に示す部分概略図である。
【図６】本発明の実施の形態２における浴槽循環装置の気泡発生運転時（気泡発生モード）の様子を概略的に示す概略図である。
【図７】本発明の実施の形態２における浴槽循環装置の注湯／追焚運転時（注湯／追焚モード）の様子を概略的に示す部分概略図である。
【図８】本発明の実施の形態２における浴槽循環装置の行き戻り通路切り替え動作を示すフローチャートである。
【図９】図６の状態と比較して配管の接続状態が異なる場合の構成を概略的に示す部分概略図である。
【図１０】図７の状態と比較して配管の接続状態が異なる場合の構成を概略的に示す部分概略図である。
【図１１】気泡発生運転時と注湯／追焚運転時との各々における水圧（往き戻り差圧）と循環流量との関係を示す図である。
【図１２】試運転時の四方弁の動作と水位センサーの出力との関係を示す図である。
【図１３】本発明の実施の形態３における浴槽循環装置の気泡発生運転時（気泡発生モード）の様子を概略的に示す概略図である。
【図１４】本発明の実施の形態３における浴槽循環装置の気泡発生運転時（気泡発生モード）の様子を概略的に示す部分概略図である。
【図１５】本発明の実施の形態３における浴槽循環装置の注湯／追焚運転時（注湯／追焚モード）の様子を概略的に示す部分概略図である。
【図１６】本発明の実施の形態３における浴槽循環装置の行き戻り通路切り替え動作を示すフローチャートである。
【図１７】図１４の状態と比較して配管の接続状態が異なる場合の構成を概略的に示す部分概略図である。
【図１８】図１５の状態と比較して配管の接続状態が異なる場合の構成を概略的に示す部分概略図である。
【図１９】気泡発生運転時と注湯／追焚運転時との各々における水圧（往き戻り差圧）と循環流量との関係を示す図である。
【図２０】本発明の実施の形態４における浴槽循環装置の追焚運転時（追焚モード）の様子を概略的に示す概略図である。
【図２１】本発明の実施の形態４における浴槽循環装置の気泡発生運転時（気泡発生モード）の様子を概略的に示す概略図である。
【図２２】本発明の実施の形態４における浴槽循環装置の自動注湯運転時（自動注湯モード）の様子を概略的に示す概略図である。
【図２３】本発明の実施の形態５における浴槽循環装置の気泡発生運転時（気泡発生モード）の様子を概略的に示す概略図である。
【図２４】本発明の実施の形態５における浴槽循環装置の四方弁の注湯／追焚運転時（注湯／追焚モード）の様子を概略的に示す部分概略図である。
【図２５】本発明の実施の形態５における浴槽循環装置の四方弁の気泡発生運転時（気泡発生モード）の様子を概略的に示す部分概略図である。
【図２６】浴槽循環装置の四方弁が注湯／追焚運転の状態にあって四方弁内の残水が凍結した様子を概略的に示す部分概略図である。
【図２７】本発明の実施の形態５における浴槽循環装置の四方弁の弁体が中間ポジションにある様子を概略的に示す部分概略図である。
【図２８】本発明の実施の形態５における浴槽循環装置の四方弁内の水が抜けた様子を概略的に示す部分概略図である。
【発明を実施するための形態】
【００１８】
以下、本発明の実施の形態について図に基づいて説明する。
（実施の形態１）
まず本実施の形態の浴槽循環装置の構成について図１を用いて説明する。
【００１９】
図１を参照して、本実施の形態の浴槽循環装置は、浴槽１４と熱供給部１３との間で湯水を循環させるための浴槽循環装置であって、浴槽循環アダプター（循環部材）１と、追焚配管１１と、流路切り替え弁１２と、循環ポンプ１５と、風呂水流スイッチ１６と、水位センサー１７と、注湯電磁弁１８と、記憶・制御部１９とを主に有している。
【００２０】
熱供給部１３は、たとえば熱交換器１３ａと、燃焼バーナ１３ｂと、送風機１３ｃとを主に有している。
【００２１】
浴槽循環アダプター１は、浴槽１４に取付けられている。この浴槽循環アダプター１は、気泡発生機能付きであって、第１の流路１ａと、第２の流路１ｂと、空気導入口２ａと、旋回室２ｂと、気泡噴流噴出口２ｃと、逆止弁３ａ〜３ｄと、吸込口４ａ、４ｂと、注湯／追焚噴出口４ｃとを主に有している。
【００２２】
第１の流路１ａは浴槽１４側の端部に吸込口４ａを有している。その吸込口４ａには、浴槽１４から第１の流路１ａ内への湯水の流入を許容し、その逆を許容しない逆止弁３ａが取付けられている。
【００２３】
第２の流路１ｂは浴槽１４側の端部に吸込口４ｂと注湯／追焚噴出口４ｃとを有している。その吸込口４ｂには、浴槽１４から第２の流路１ｂ内への湯水の流入を許容し、その逆を許容しない逆止弁３ｂが取付けられている。また注湯／追焚噴出口４ｃには第２の流路１ｂから浴槽１４内への湯水の流入を許容し、その逆を許容しない逆止弁３ｃが取付けられている。
【００２４】
旋回室２ｂは空気導入口２ａに接続されており、かつ逆止弁３ｄを介在して第１の流路１ａに接続されている。この逆止弁３ｄは、第１の流路１ａから旋回室２ｂへの湯水の流入を許容するがその逆は許容しない。また旋回室２ｂの浴槽１４側には気泡噴流噴出口２ｃが設けられている。
【００２５】
第１の流路１ａから旋回室２ｂ内に流入した湯水が旋回室２ｂ内で旋回するように旋回室２ｂは構成されている。その旋回で生じた旋回室２ｂ内の負圧によって空気導入口２ａから空気が旋回室２ｂ内に吸引されて、旋回室２ｂで旋回湯水と混合されることで微細気泡を含有する気体混合流体を形成するように旋回室２ｂおよび空気導入口２ａが構成されている。上記の気体混合流体を気泡噴流噴出口２ｃ浴槽１４内に吐出するように気泡噴流噴出口２ｃは構成されている。
【００２６】
追焚配管１１は、浴槽循環アダプター１に接続されて熱供給部１３へ延びている。この追焚配管１１は、浴槽循環アダプター１の第１の流路１ａおよび第２の流路１ｂのそれぞれに接続された第１の配管（第１の通路）１１ａおよび第２の配管（第２の通路）１１ｂを有している。
【００２７】
流路切り替え弁１２は、追焚配管１１の途中に接続され、かつ第１の配管１１ａと第２の配管１１ｂとの往き戻りを切り替えることができるように構成されている。流路切り替え弁１２は、たとえば２つの三方弁１２ａ、１２ｂから構成されている。２つの三方弁１２ａ、１２ｂの各々は、電動の弁であって、たとえばモータにより弁体が駆動制御されるよう構成されている。三方弁１２ａは配管１１ａ1、１１ｂ1、１１ａ2に接続されており、配管１１ａ1と配管１１ｂ1とを切り替え可能である。また三方弁１２ｂは配管１１ａ1、１１ｂ1、１１ｂ2に接続されており、配管１１ａ1と配管１１ｂ1とを切り替え可能である。三方弁１２ａは熱交換器１３ａの一方側に接続されており、三方弁１２ｂは熱交換器１３ａの他方側に接続されている。
【００２８】
循環ポンプ１５は、浴槽１４と熱供給部１３との間で湯水を循環させるためのものである。風呂水流スイッチ１６および水位センサー１７の各々は、循環ポンプ１５と熱交換器１３ａとの間の配管に接続されている。注湯電磁弁１８は、循環ポンプ１５と熱交換器１３ａとの間の配管と、給湯用熱供給部２１により加熱された湯水を排出するための配管２２との間に設けられており、双方の配管の連通を制御できるよう構成されている。
【００２９】
記憶・制御部１９は、循環ポンプ１５のモータの電流値を記憶できるように構成されており、かつ循環ポンプ１５の電流値に基づいて２つの三方弁１２ａ、１２ｂの各々の弁体を駆動制御できるように構成されている。
【００３０】
本実施の形態においては、気泡発生運転と追焚運転とで異なる特性を示す信号値を用いて、第１の配管１１ａと第２の配管１１ｂとの往き戻りを判別し、流路切り替え弁１２で第１の配管１１ａと第２の配管１１ｂとの往き戻りを切り替え制御できるよう構成されている。具体的には、循環ポンプ１５のモータの電流値に基づいて、記憶・制御部１９で三方弁１２ａ、１２ｂのそれぞれの弁体を駆動制御することにより第１の配管１１ａと第２の配管１１ｂとの往き戻りが切り替え制御可能とされている。
【００３１】
次に、本実施の形態における注湯／追焚モードと気泡発生モードとについて図１および図２を用いて説明する。なお図１および図２においては、配管１１ａ2が循環ポンプ１５の１次側に接続され、かつ配管１１ｂ2が循環ポンプ１５の２次側に接続された場合について説明する。
【００３２】
図１を参照して、注湯／追焚モードにおいては、流路切り替え弁１２により配管１１ａ1と配管１１ａ2とが接続され、かつ配管１１ｂ1と配管１１ｂ2とが接続された状態にある。この状態においては、浴槽循環アダプター１の逆止弁３ａが開くことにより浴槽１４から吸込口４ａを通って湯水が第１の流路１ａに流入する。第１の流路１ａに流入した湯水は、熱交換器１３ａで加熱されて、第２の流路１ｂへ流入する。湯水が第２の流路１ｂに流入することで、逆止弁３ｂが吸込口４ｂを閉じるとともに、逆止弁３ｃが開く。これにより、熱供給部１３で加熱された湯水が注湯／追焚噴出口４ｃから浴槽１４へ流入する。上記により浴槽１４への注湯、追焚が可能となる。なおこの状態では、逆止弁３ｄは閉じた状態にある。
【００３３】
図２を参照して、気泡発生モードにおいては、流路切り替え弁１２により配管１１ａ1と配管１１ｂ2とが接続され、かつ配管１１ｂ1と配管１１ａ2とが接続された状態にある。この状態においては、浴槽循環アダプター１の逆止弁３ｂが開くことにより浴槽１４から吸込口４ｂを通って湯水が第２の流路１ｂに流入する。第２の流路１ｂに流入した湯水は、熱交換器１３ａを通って第１の流路１ａへ流入する。湯水が第１の流路１ａに流入することで、逆止弁３ａが吸込口４ａを閉じるとともに、逆止弁３ｄが開く。これにより第１の流路１ａから旋回室２ｂへ湯水が流入する。旋回室２ｂに流入した湯水は、旋回室２ｂで旋回するとともに、空気導入口２ａから吸引された空気と混合されることで微細気泡を含有する気体混合流体を形成し、気泡噴流噴出口２ｃから浴槽１４内に吐出される。上記により浴槽１４への微細気泡を含有する気体混合流体を供給することができる。なおこの状態では、逆止弁３ｃは閉じた状態にある。この図２においては熱源部の構成は図１と同じであるため省略されている。
【００３４】
次に、本実施の形態における往き戻り切り替え判定制御について図１〜図５を用いて説明する。
【００３５】
図１および図３を参照して、まず追焚配管１１の施工が行なわれる。この時点においては、追焚配管１１が浴槽循環アダプター１と熱供給部１３とをどのように接続しているかはわからない。そこで往き戻りを反転させてそれぞれの状態での循環ポンプ１５のモータ電流値の対比が行なわれる。
【００３６】
まず追焚配管１１の施工が行なわれた直後の接続状態が第１の往き戻り状態とされる（ステップＳ１ａ：図３）。この第１の往き戻り状態は、たとえば図１に示すように流路切り替え弁１２により配管１１ａ1と配管１１ａ2とが接続され、かつ配管１１ｂ1と配管１１ｂ2とが接続された状態（「１１ａ1−１１ａ2、１１ｂ1−１１ｂ2」の状態）である。またこの第１の往き戻り状態では、配管１１ａ2が循環ポンプ１５の１次側に接続され、かつ配管１１ｂ2が循環ポンプ１５の２次側に接続されている。この第１の往き戻り状態で、循環ポンプ１５がＯＮされて駆動される（ステップＳ２）。そして第１の往き戻り状態において、循環ポンプ１５のモータの電流値が記憶・制御部１９に記憶される（ステップＳ３ａ）。
【００３７】
図２および図３を参照して、次に往き戻りが反転されて第１の往き戻り状態から第２の往き戻り状態へと通路が切り替えられる（ステップＳ４ａ）。この第２の往き戻り状態は、たとえば図２に示すように流路切り替え弁１２により配管１１ａ1と配管１１ｂ2とが接続され、かつ配管１１ｂ1と配管１１ａ2とが接続された状態（「１１ａ1−１１ｂ2、１１ｂ1−１１ａ2」の状態）である。この第２の往き戻り状態においても、配管１１ａ2が循環ポンプ１５の１次側に接続され、かつ配管１１ｂ2が循環ポンプ１５の２次側に接続されている。この第２の往き戻り状態で、循環ポンプ１５のモータの電流値が測定され、記憶・制御部１９にて第１の往き戻り状態で測定されたモータの電流値に対して低下したか否かの判別がなされる（ステップＳ５ａ）。
【００３８】
そして第２の往き戻り状態におけるモータの電流値が第１の往き戻り状態におけるモータの電流値よりも低下している場合には、図１に示す第１の往き戻り状態（「１１ａ1−１１ａ2、１１ｂ1−１１ｂ2」の状態）が注湯／追焚モード、図２に示す第２の往き戻り状態（「１１ａ1−１１ｂ2、１１ｂ1−１１ａ2」の状態）が気泡発生モードと判定され、その判定結果が記憶・制御部１９に記憶される（ステップＳ６ａ）。
【００３９】
なお上記においては図１および図２に示すように配管１１ａ2が循環ポンプ１５の１次側（吸込側）に接続され、かつ配管１１ｂ2が循環ポンプ１５の２次側（吐出側）に接続された場合について説明した。しかしながら、追焚配管１１の施工が行なわれた直後は、追焚配管１１が浴槽循環アダプター１と熱供給部１３とをどのように接続しているかはわからない。このため、配管１１ｂ2が循環ポンプ１５の１次側（吸込側）に接続され、かつ配管１１ａ2が循環ポンプ１５の２次側（吐出側）に接続される場合もある。
【００４０】
この場合には、図４に示すように配管１１ａ1と配管１１ａ2とが接続され、かつ配管１１ｂ1と配管１１ｂ2とが接続された第１の往き戻り状態（「１１ａ1−１１ａ2、１１ｂ1−１１ｂ2」の状態）では、図５に示すように配管１１ａ1と配管１１ｂ2とが接続され、かつ配管１１ｂ1と配管１１ａ2とが接続された第２の往き戻り状態（「１１ａ1−１１ｂ2、１１ｂ1−１１ａ2」の状態）よりもモータの電流値は高くなる、このため図４に示す第１の往き戻り状態（「１１ａ1−１１ａ2、１１ｂ1−１１ｂ2」の状態）が気泡発生モード、図５に示す第２の往き戻り状態（「１１ａ1−１１ｂ2、１１ｂ1−１１ａ2」の状態）が注湯／追焚モードと判定され、その判定結果が記憶・制御部１９に記憶される（ステップＳ１１ａ）。
【００４１】
上記の判定（ステップＳ６ａ、Ｓ１１ａ）が終了した後に、循環ポンプ１５がＯＦＦされて、その駆動が停止される（ステップＳ７）。
【００４２】
上記の往き戻り切り替え判定制御によって、第１および第２の往き戻り状態と動作モード（注湯／追焚モード、気泡発生モード）との関連付けがなされる。このため、次回の使用からは使用者が注湯／追焚モードを選択した場合には図１または図５の状態となるように、かつ気泡発生モードを選択した場合には図２または図４の状態となるように、流路切り替え弁１２が自動的に切り替え制御される。
【００４３】
なお上記における循環ポンプ１５のモータ電流値の測定は、たとえば循環ポンプ１５の回転数を徐々に増加させていき風呂水流スイッチ１６がＯＮしたときの回転数における電流値を測定することなどにより行なわれる。
【００４４】
次に、本実施の形態の作用効果について説明する。
本実施の形態によれば、気泡発生モードと注湯／追焚モードとで異なる特性を示す信号値を用いて、第１の配管１１ａと第２の配管１１ｂとの往き戻りを判別することにより、流路切り替え弁１２で第１の配管１１ａと第２の配管１１ｂとの往き戻りが切り替え制御される。これにより追焚配管１１の施工時に配管の接続ミスがあった場合でも、施工後の動作状況に応じて往き戻りを判別して流路切り替え弁１２でその往き戻りを切り替えることで、その後の正常な動作が可能となる。
【００４５】
また上記の信号値は循環ポンプ１５のモータの電流値である。気泡発生モード時には注湯／追焚モード時よりも気泡による圧力損失が大きくなり、湯水の流量が少なくなる。このため、気泡発生モード時には注湯／追焚モード時よりも循環ポンプ１５のモータの電流値が低くなる。よってこの循環ポンプ１５のモータの電流値によって気泡発生モードか注湯／追焚モードかを判別することができる。
【００４６】
なお本実施の形態においては、流路切り替え弁１２が２つの三方弁１２ａ、１２ｂよりなる構成について説明したが、流路切り替え弁１２は１つの四方弁よりなっていてもよい。
【００４７】
（実施の形態２）
図６を参照して、本実施の形態の構成は、記憶・制御部１９が水位センサー１７に接続されている点、および流路切り替え弁１２が１つの四方弁よりなっている点において図１に示す実施の形態１の構成と主に異なっている。
【００４８】
記憶・制御部１９は、水位センサー１７の出力値（水圧）を記憶できるように構成されており、かつ水位センサー１７の出力値（水圧）に基づいて１つの四方弁１２の弁体を駆動制御できるように構成されている。これにより第１の配管１１ａと第２の配管１１ｂとの往き戻りが切り替え制御可能とされている。
【００４９】
なお、これ以外の本実施の形態の構成は、上述した実施の形態１の構成とほぼ同じであるため同一の要素については同一の符号を付し、その説明を繰り返さない。
【００５０】
次に、本実施の形態における注湯／追焚モードと気泡発生モードとについて図６および図７を用いて説明する。なお図６および図７においては、配管１１ａ2が循環ポンプ１５の１次側に接続され、かつ配管１１ｂ2が循環ポンプ１５の２次側に接続された場合について説明する。
【００５１】
図６を参照して、気泡発生モードにおいては、流路切り替え弁１２の弁体の位置が図示されたポジションＡとされることにより、配管１１ａ1と配管１１ｂ2とが接続され、かつ配管１１ｂ1と配管１１ａ2とが接続される。この状態における浴槽循環アダプター１の４つの逆止弁３ａ〜３ｄの状態は、図２に示す実施の形態１における４つの逆止弁３ａ〜３ｄのそれぞれと同じ状態である。
【００５２】
図７を参照して、注湯／追焚モードにおいては、流路切り替え弁１２の弁体の位置が図示されたポジションＢとされることにより、配管１１ａ1と配管１１ａ2とが接続され、かつ配管１１ｂ1と配管１１ｂ2とが接続された状態にある。この状態における浴槽循環アダプター１の４つの逆止弁３ａ〜３ｄの状態は、図１に示す実施の形態１における４つの逆止弁３ａ〜３ｄのそれぞれと同じ状態である。なお図７においては説明の便宜上、熱源部、浴槽循環アダプター１、および浴槽１４は省略されている。
【００５３】
次に、本実施の形態における往き戻り切り替え判定制御について図６〜図１０を用いて説明する。
【００５４】
図６および図８を参照して、まず追焚配管１１の施工が行なわれる。この時点においては、追焚配管１１が浴槽循環アダプター１と熱供給部１３とをどのように接続しているかはわからない。そこで往き戻りを反転させてそれぞれの状態での水位センサー１７の出力値（水圧）の対比が行なわれる。
【００５５】
追焚配管１１の施工が行なわれた直後の接続状態において流路切り替え弁１２の弁体がポジションＡにある状態が第１の往き戻り状態とされる（ステップＳ１ｂ：図６）。この第１の往き戻り状態では、たとえば図６に示すように流路切り替え弁１２により配管１１ａ1と配管１１ｂ2とが接続され、かつ配管１１ｂ1と配管１１ａ2とが接続されている。またこの第１の往き戻り状態では、配管１１ａ2が循環ポンプ１５の１次側に接続され、かつ配管１１ｂ2が循環ポンプ１５の２次側に接続されている。この第１の往き戻り状態で、循環ポンプ１５がＯＮされて駆動される（ステップＳ２）。そして第１の往き戻り状態において、水位センサー１７の出力値（水圧）が記憶・制御部１９に記憶される（ステップＳ３ｂ）。
【００５６】
図７および図８を参照して、次に流路切り替え弁１２の弁体がポジションＢとされることにより往き戻りが反転されて第１の往き戻り状態から第２の往き戻り状態へと通路が切り替えられる（ステップＳ４ｂ）。この第２の往き戻り状態では、たとえば図７に示すように流路切り替え弁１２により配管１１ａ1と配管１１ａ2とが接続され、かつ配管１１ｂ1と配管１１ｂ2とが接続されている。またこの第２の往き戻り状態においても、配管１１ａ2が循環ポンプ１５の１次側に接続され、かつ配管１１ｂ2が循環ポンプ１５の２次側に接続されている。この第２の往き戻り状態で、水位センサー１７の出力値（水圧）が測定され、記憶・制御部１９にて第１の往き戻り状態で測定された水位センサー１７の出力値（水圧）に対して低下したか否かの判別がなされる（ステップＳ５ｂ）。
【００５７】
そして第２の往き戻り状態における水位センサー１７の出力値（水圧）が第１の往き戻り状態における水位センサー１７の出力値（水圧）よりも低下している場合には、第１の往き戻り状態（図６の状態：弁体のポジションＡ）が気泡発生モード、第２の往き戻り状態（図７の状態：弁体のポジションＢ）が注湯／追焚モードと判定され、その判定結果が記憶・制御部１９に記憶される（ステップＳ６）。
【００５８】
なお上記においては図６および図７に示すように配管１１ａ2が循環ポンプ１５の１次側（吸込側）に接続され、かつ配管１１ｂ2が循環ポンプ１５の２次側（吐出側）に接続された場合について説明した。しかしながら、追焚配管１１の施工が行なわれた直後は、追焚配管１１が浴槽循環アダプター１と熱供給部１３とをどのように接続しているかはわからない。このため、配管１１ｂ2が循環ポンプ１５の１次側（吸込側）に接続され、かつ配管１１ａ2が循環ポンプ１５の２次側（吐出側）に接続される場合もある。
【００５９】
この場合には、図９に示すように弁体がポジションＡにある第１の往き戻り状態では、図１０に示すように弁体がポジションＢにある第２の往き戻り状態よりも水位センサー１７の出力値（水圧）は高くなる。このため第１の往き戻り状態（図９の状態：弁体のポジションＡ）が注湯／追焚モード、第２の往き戻り状態（図１０の状態：弁体のポジションＢ）が気泡発生モードと判定され、その判定結果が記憶・制御部１９に記憶される（ステップＳ１１ｂ）。
【００６０】
上記の判定（ステップＳ６ｂ、Ｓ１１ｂ）が終了した後に、循環ポンプ１５がＯＦＦされて、その駆動が停止される（ステップＳ７）。
【００６１】
上記の往き戻り切り替え判定制御によって、第１および第２の往き戻り状態と動作モード（注湯／追焚モード、気泡発生モード）との関連付けがなされる。このため、次回の使用からは使用者が気泡発生モードを選択した場合には図６または図１０の状態となるように、かつ注湯／追焚モードを選択した場合には図７または図９の状態となるように、流路切り替え弁１２が自動的に切り替え制御される。
【００６２】
次に、本実施の形態の作用効果について説明する。
本実施の形態によれば、気泡発生モードと注湯／追焚モードとで異なる特性を示す信号値を用いて、第１の配管１１ａと第２の配管１１ｂとの往き戻りを判別することにより、流路切り替え弁１２で第１の配管１１ａと第２の配管１１ｂとの往き戻りが切り替え制御される。これにより、実施の形態１と同様、追焚配管１１の施工時に配管の接続ミスがあった場合でも、施工後の動作状況に応じて往き戻りを判別して流路切り替え弁１２でその往き戻りを切り替えることで、その後の正常な動作が可能となる。
【００６３】
また上記の信号値は、図６に示す循環ポンプ１５の２次側（吐出側）に配置された水位センサー１７の出力値（水圧）である。図１１に示すように、気泡発生モード時には、循環ポンプ１５の２次側における気泡による圧力損失が注湯／追焚モード時よりも大きくなる。このため、図１２に示すように気泡発生モード時には注湯／追焚モード時よりも水位センサー１７の出力値が高くなる。よってこの水位センサー１７の出力値によって気泡発生モードか注湯／追焚モードかを判別することができる。
【００６４】
なお本実施の形態においては、流路切り替え弁１２が１つの四方弁よりなる構成について説明したが、流路切り替え弁１２は２つの三方弁よりなっていてもよい。
【００６５】
（実施の形態３）
図１３を参照して、本実施の形態の構成は、圧力スイッチ（または圧力センサー）３４を有する点、その圧力スイッチ３４に記憶・制御部１９が接続されている点、その記憶・制御部１９が熱源機制御部３２によって制御可能である点、熱源機制御部３２が温浴スイッチ３１で制御可能である点、および流路切り替え弁１２が１つの四方弁よりなっている点において図１に示す実施の形態１の構成と主に異なっている。
【００６６】
圧力スイッチ３４は、循環ポンプ１５の２次側と１次側との差圧を検知するためのものである。この圧力スイッチ３４は、たとえば１次側の経路を流れる湯水と２次側の経路を流れる湯水との間に配置されたダイヤフラム（diaphragm）を有し、そのダイヤフラムの変位で１次側と２次側との湯水の差圧を検知するものである。つまり２次側の水圧が１次側の水圧より高い場合にはダイヤフラムは１次側に変位するため、その変位を検出することで差圧を検知することができる。
【００６７】
なお循環ポンプ１５の２次側とは循環ポンプ１５の吐出側であり、循環ポンプ１５から浴槽１４内に湯水が吐出されるまでの経路を意味する。また循環ポンプ１５の１次側とは循環ポンプ１５の吸込側であり、浴槽１４内から流入した湯水が循環ポンプ１５に達するまでの経路を意味する。
【００６８】
記憶・制御部１９は、圧力スイッチ３４のＯＮ、ＯＦＦの作動信号を記憶できるように構成されており、かつ圧力スイッチ３４の作動信号に基づいて１つの四方弁１２の弁体を駆動制御できるように構成されている。これにより第１の配管１１ａと第２の配管１１ｂとの往き戻りが切り替え制御可能とされている。上記においては記憶・制御部１９が圧力スイッチ３４の作動信号を記憶する場合について説明したが、圧力スイッチ３４の作動信号は熱源機制御部３２に記憶されてもよい。
【００６９】
上記の記憶・制御部１９と、圧力スイッチ３４と、流路切り替え弁１２とにより往き戻り反転ユニットが構成されている。
【００７０】
なお、これ以外の本実施の形態の構成は、上述した実施の形態１の構成とほぼ同じであるため同一の要素については同一の符号を付し、その説明を繰り返さない。
【００７１】
次に、本実施の形態における注湯／追焚モードと気泡発生モードとについて図１４および図１５を用いて説明する。なお図１４および図１５においては、配管１１ａ2が循環ポンプ１５の１次側に接続され、かつ配管１１ｂ2が循環ポンプ１５の２次側に接続された場合について説明する。
【００７２】
図１４を参照して、気泡発生モードにおいては、流路切り替え弁１２の弁体の位置が図示されたポジションＡとされることにより、配管１１ａ1と配管１１ｂ2とが接続され、かつ配管１１ｂ1と配管１１ａ2とが接続される。この状態における浴槽循環アダプター１の４つの逆止弁３ａ〜３ｄの状態は、図２に示す実施の形態１における４つの逆止弁３ａ〜３ｄのそれぞれと同じ状態である。
【００７３】
図１５を参照して、注湯／追焚モードにおいては、流路切り替え弁１２の弁体の位置が図示されたポジションＢとされることにより、配管１１ａ1と配管１１ａ2とが接続され、かつ配管１１ｂ1と配管１１ｂ2とが接続される。この状態における浴槽循環アダプター１の４つの逆止弁３ａ〜３ｄの状態は、図１に示す実施の形態１における４つの逆止弁３ａ〜３ｄのそれぞれと同じ状態である。なお図１４および図１５においては説明の便宜上、熱源部、浴槽循環アダプター１、および浴槽１４は省略されている。
【００７４】
次に、本実施の形態における往き戻り切り替え判定制御について図１３〜図１８を用いて説明する。
【００７５】
図１４および図１６を参照して、まず追焚配管１１の施工が行なわれる。この時点においては、追焚配管１１が浴槽循環アダプター１と熱供給部１３とをどのように接続しているかはわからない。そこで往き戻りを反転させてそれぞれの状態での圧力スイッチ３４の作動信号が検知される。
【００７６】
まず追焚配管１１の施工が行なわれた直後の接続状態において流路切り替え弁１２の弁体がポジションＡにある状態が第１の往き戻り状態とされる（ステップＳ１０１：図１６）。第１の往き戻り状態は、たとえば図１４に示すように流路切り替え弁１２により配管１１ａ1と配管１１ｂ2とが接続され、かつ配管１１ｂ1と配管１１ａ2とが接続された状態である。またこの第１の往き戻り状態においては、図１３に示すように配管１１ａ2が循環ポンプ１５の１次側に接続され、配管１１ｂ2が循環ポンプ１５の２次側に接続されている。この第１の往き戻り状態で、循環ポンプ１５がＯＮされて駆動される（ステップＳ１０２）。そして第１の往き戻り状態において、圧力スイッチ３４の作動信号から圧力スイッチ３４がＯＮしたか否かが判別される（ステップＳ１０３）。
【００７７】
この圧力スイッチ３４がＯＮしている場合には、弁体がポジションＡにある第１の往き戻り状態（図１４の状態）が気泡発生モード、弁体がポジションＢにある第２の往き戻り状態（図１５の状態）が注湯／追焚モードと判定され、その判定結果が記憶・制御部１９に記憶される（ステップＳ１１１）。
【００７８】
この後、流路切り替え弁１２の弁体がポジションＢとされることにより往き戻りが反転されて第１の往き戻り状態から第２の往き戻り状態へと通路が切り替えられる（ステップＳ１１２）。この第２の往き戻り状態は、たとえば図１５に示すように流路切り替え弁１２により配管１１ａ1と配管１１ａ2とが接続され、かつ配管１１ｂ1と配管１１ｂ2とが接続された状態である。この第２の往き戻り状態においても、配管１１ａ2が循環ポンプ１５の１次側に接続され、配管１１ｂ2が循環ポンプ１５の２次側に接続されている。
【００７９】
この第２の往き戻り状態で、圧力スイッチ３４の作動信号から圧力スイッチ３４がＯＮしたか否かが判別される（ステップＳ１１３）。この圧力スイッチ３４がＯＮしていない場合には、循環ポンプ１５がＯＦＦされて（ステップＳ１０７）、その駆動が停止される。一方、圧力スイッチ３４がＯＮしている場合には、往き戻り判定が失敗であるとしてエラーとなる（ステップＳ１１４）。
【００８０】
なお上記においては図１３に示すように配管１１ａ2が循環ポンプ１５の１次側（吸込側）に接続され、かつ配管１１ｂ2が循環ポンプ１５の２次側（吐出側）に接続された場合について説明した。しかしながら、追焚配管１１の施工が行なわれた直後は、追焚配管１１が浴槽循環アダプター１と熱供給部１３とをどのように接続しているかはわからない。このため、配管１１ｂ2が循環ポンプ１５の１次側（吸込側）に接続され、かつ配管１１ａ2が循環ポンプ１５の２次側（吐出側）に接続される場合もある。
【００８１】
この場合には、図１７に示すように弁体がポジションＡにある第１の往き戻り状態においては圧力スイッチ３４はＯＮせず、図１８に示すように弁体がポジションＢにある第２の往き戻り状態において圧力スイッチ３４がＯＮする。
【００８２】
このため、上記のステップＳ１０３において、図１７に示すように弁体がポジションＡにある第１の往き戻り状態では圧力スイッチ３４はＯＮしない。この場合には、弁体がポジションＡにある第１の往き戻り状態（図１７の状態）が注湯／追焚モード、弁体がポジションＢにある第２の往き戻り状態（図１８の状態）が気泡発生モードと判定され、その判定結果が記憶・制御部１９に記憶される（ステップＳ１０４）。
【００８３】
この後、流路切り替え弁１２の弁体がポジションＢとされることにより往き戻りが反転されて第１の往き戻り状態から第２の往き戻り状態へと通路が切り替えられる（ステップＳ１０５）。この第２の往き戻り状態は、たとえば図１８に示すように流路切り替え弁１２により配管１１ａ1と配管１１ａ2とが接続され、かつ配管１１ｂ1と配管１１ｂ2とが接続された状態である。この第２の往き戻り状態で、圧力スイッチ３４の作動信号から圧力スイッチ３４がＯＮしたか否かが判別される（ステップＳ１０６）。この圧力スイッチ３４がＯＮしている場合には、循環ポンプ１５がＯＦＦされて（ステップＳ１０７）、その駆動が停止される。一方、圧力スイッチ３４がＯＮしていない場合には、往き戻り判定が失敗であるとしてエラーとなる（ステップＳ１１５）。
【００８４】
上記の往き戻り切り替え判定制御によって、第１および第２の往き戻り状態と動作モード（注湯／追焚モード、気泡発生モード）との関連付けがなされる。このため、次回の使用からは使用者が気泡発生モードを選択した場合には図１４または図１８の状態となるように、かつ注湯／追焚モードを選択した場合には図１５または図１７の状態となるように、流路切り替え弁１２が自動的に切り替え制御される。
【００８５】
次に、本実施の形態の作用効果について説明する。
本実施の形態によれば、気泡発生モードと注湯／追焚モードとで異なる特性を示す信号値を用いて、第１の配管１１ａと第２の配管１１ｂとの往き戻りを判別することにより、流路切り替え弁１２で第１の配管１１ａと第２の配管１１ｂとの往き戻りが切り替え制御される。これにより、実施の形態１と同様、追焚配管１１の施工時に配管の接続ミスがあった場合でも、施工後の動作状況に応じて往き戻りを判別して流路切り替え弁１２でその往き戻りを切り替えることで、その後の正常な動作が可能となる。
【００８６】
また上記の信号値は、圧力スイッチ３４の作動信号である。図１９に示すように、圧力損失の大きい気泡発生モードでは循環ポンプ１５の１次側と２次側との差圧（動作点における差圧）が大きくなり、圧力損失の小さい注湯／追焚モードでは循環ポンプ１５の１次側と２次側との差圧（動作点における差圧）が小さくなる。このため、気泡発生モードでは圧力スイッチ３４がＯＮの作動信号を出力するのに対して、注湯／追焚モードでは圧力スイッチ３４はＯＦＦの作動信号を出力する。よってこの圧力スイッチ３４の作動信号によって気泡発生モードか注湯／追焚モードかを判別することができる。
【００８７】
なお本実施の形態においては、流路切り替え弁１２が１つの四方弁よりなる構成について説明したが、流路切り替え弁１２は２つの三方弁よりなっていてもよい。
【００８８】
（実施の形態４）
図２０〜図２２を参照して、本実施の形態の構成は、浴槽循環アダプター１に含まれる４つの逆止弁３ａ〜３ｄのうち吸込／噴出口４ａを開閉するための逆止弁３ａだけに強制開弁機構を設けた点において図１に示す実施の形態１と主に異なっている。この強制開弁機構は、自動注湯モード時（お湯張り時：図２２）において逆止弁３ａを強制的に開弁するよう構成されており、電動および手動のいずれであってもよい。これにより、図２２に示す自動注湯モードにおいては、浴槽循環アダプター１の第１の流路１ａにおける吸込／噴出口４ａと第２の流路１ｂにおける注湯／追焚噴出口４ｃとの双方から湯水を浴槽１４内に供給できる、いわゆる両搬送が可能となる。
【００８９】
またこの両搬送時においては、吸込／噴出口４ａから湯水が浴槽１４内に供給されるため、第１の流路１ａと旋回室２ｂとを繋ぐ経路にある逆止弁３ｄは開かない。つまり、浴槽１４へ湯を供給するお湯張り時には、浴槽循環アダプター１の気泡発生側の流路が閉止されるよう構成されている。このため、両搬送時には気泡発生の機能は働かない。なお追焚モード時（図２０）および気泡発生モード時（図２１）においては、強制開弁機構は機能せず、逆止弁３ａは実施の形態１〜３と同様の動作を行なう。
【００９０】
なお、これ以外の本実施の形態の構成は、上述した実施の形態１の構成とほぼ同じであるため同一の要素については同一の符号を付し、その説明を繰り返さない。
【００９１】
次に、本実施の形態の作用効果について説明する。
本実施の形態においては、上述したように逆止弁３ａが強制開弁機構により自動注湯モード時（お湯張り時：図２２）において逆止弁３ａを強制的に開弁するよう構成されている。これにより、自動注湯モード時には旋回室２ｂに湯水が流入しないため、気泡噴流噴出口２ｃから湯水が噴出することによる大きな音の発生や湯水の飛び散りを防止することが可能となる。
【００９２】
本実施の形態の強制開弁機構を有する逆止弁３ａは実施の形態１だけでなく、実施の形態２および３に適用することも可能である。
【００９３】
（実施の形態５）
図２３を参照して、本実施の形態の構成においては、流路切り替え弁１２が四方弁からなっている。この四方弁１２は、制御部４０により制御されて、浴槽１４内の湯が排出された後に弁体が中間ポジション（往きと戻りの両方の通路が四方弁１２内で通じるポジション）となり、それにより四方弁１２内の残水が排出されるように構成されている。
【００９４】
なお浴槽にお湯張りをするときには、四方弁１２の弁体は通常のポジションに戻される。また制御部４０は図１に示す実施の形態１における記憶・制御部１９と同じであってもよい。
【００９５】
なお、これ以外の本実施の形態の構成は、上述した実施の形態１の構成とほぼ同じであるため同一の要素については同一の符号を付し、その説明を繰り返さない。
【００９６】
次に、本実施の形態の四方弁の制御について図２４〜図２８を用いて説明する。
図２４を参照して、本実施の形態における注湯／追焚モードにおいては、図７に示す実施の形態２の注湯／追焚モードと同様、四方弁１２の弁体はポジションＢの状態となるように制御部４０により制御される。
【００９７】
図２５を参照して、本実施の形態における気泡発生モードにおいては、図６に示す実施の形態２の気泡発生モードと同様、四方弁１２の弁体はポジションＡの状態となるように制御部４０により制御される。
【００９８】
図２６を参照して、仮に四方弁１２の弁体が上記ポジションＢにある状態で浴槽１４の湯が排出され、それに基づいて四方弁１２内の残水が排出された場合、往き通路に接続された四方弁１２の通路内の残水は四方弁１２内から排出される。しかし、戻り通路に接続された四方弁１２の通路内の残水は依然として四方弁１２内に残る。このため、この残水が凍結した場合には、四方弁１２が破損するおそれがある。
【００９９】
図２７を参照して、そこで本実施の形態では、浴槽１４内の湯が排出された後に、四方弁１２の弁体が中間ポジション（往きと戻りの両方の通路が四方弁１２内で通じるポジション）となるように制御部４０により制御される。
【０１００】
図２８を参照して、上記のように弁体を中間ポジションにすることにより、四方弁１２内の残水のすべてを四方弁１２内から排出することが可能となる。
【０１０１】
本実施の形態によれば、上述のように、浴槽１４内の湯が排出された後に、四方弁１２の弁体が中間ポジションとされることで四方弁１２内の残水のすべてを四方弁１２内から排出することが可能となる。このため、四方弁１２内の残水が凍結することによる四方弁１２の破損を防止することができる。
【０１０２】
なお上述した実施の形態１〜５においては循環部材１が浴槽１４に取付られた浴槽循環アダプターである場合について説明したが、気泡発生機能を有していれば浴槽１４に取り付けられていなくてもよい。
【０１０３】
上述した実施の形態１〜５は適宜組み合わせることが可能である。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０４】
本発明は、浴槽と熱供給部との間で湯水を循環させるための浴槽循環装置に有利に適用され得る。
【符号の説明】
【０１０５】
１  浴槽循環アダプター（循環部材）、１ａ  第１の流路、１ｂ  第２の流路、２ａ  空気導入口、２ｂ  旋回室、２ｃ  気泡噴流噴出口、３ａ〜３ｄ  逆止弁、４ａ，４ｂ  吸込口、４ｃ  追焚噴出口、１１  追焚配管、１１ａ  第１の配管、１１ｂ  第２の配管、１１ａ1，１１ａ2，１１ｂ1，１１ｂ2  配管、１２  流路切り替え弁、１２ａ，１２ｂ  三方弁、１３  熱供給部、１３ａ  熱交換器、１３ｂ  燃焼バーナ、１３ｃ  送風機、１４  浴槽、１５  循環ポンプ、１６  風呂水流スイッチ、１７  水位センサー、１８  注湯電磁弁、１９  記憶・制御部、２１  給湯用熱供給部、２２  配管、３１  温浴スイッチ、３２  熱源機制御部、３４  圧力スイッチ、４０  制御部。
【図１】
0005760682.tif 000002
【図２】
0005760682.tif 000003
【図３】
0005760682.tif 000004
【図４】
0005760682.tif 000005
【図５】
0005760682.tif 000006
【図６】
0005760682.tif 000007
【図７】
0005760682.tif 000008
【図８】
0005760682.tif 000009
【図９】
0005760682.tif 000010
【図１０】
0005760682.tif 000011
【図１１】
0005760682.tif 000012
【図１２】
0005760682.tif 000013
【図１３】
0005760682.tif 000014
【図１４】
0005760682.tif 000015
【図１５】
0005760682.tif 000016
【図１６】
0005760682.tif 000017
【図１７】
0005760682.tif 000018
【図１８】
0005760682.tif 000019
【図１９】
0005760682.tif 000020
【図２０】
0005760682.tif 000021
【図２１】
0005760682.tif 000022
【図２２】
0005760682.tif 000023
【図２３】
0005760682.tif 000024
【図２４】
0005760682.tif 000025
【図２５】
0005760682.tif 000026
【図２６】
0005760682.tif 000027
【図２７】
0005760682.tif 000028
【図２８】
0005760682.tif 000029